(57)【特許請求の範囲】
【請求項１】
腕時計型携帯端末の本体部を腕に装着するための腕時計型携帯端末用ベルトであって、
腕に巻回可能な中空の長尺状部材である収納部材と、
前記収納部材に収納され、一端が該収納部材から引出し可能であり、他端が前記本体部へと接続されるコードと、
前記コードの引出し可能な一端に設けられ、前記本体部との間で前記コードを介した音声信号の授受を行う通話手段と、
前記収納部材内部に設けられ、前記コードが巻き掛けられる回転体と
を具備することを特徴とする腕時計型携帯端末用ベルト。
【請求項２】
腕時計型携帯端末の本体部を腕に装着するための腕時計型携帯端末用ベルトであって、
腕に巻回可能な中空の長尺状部材である収納部材と、
前記収納部材に収納され、一端が該収納部材から引出し可能であり、他端が該収納部材内部の内壁に支持されたうずまきばねと、
前記うずまきばねに巻装され、一端が該収納部材から引出し可能なコードと、
前記コードの引出し可能な一端に設けられ、前記本体部との間で前記コードを介した音声信号の授受を行う通話手段と
を具備することを特徴とする腕時計型携帯端末用ベルト。
【請求項３】
前記回転体の回転軸を支持する支持部材と、
一端が前記収容部材の内壁に固定されるとともに他端が前記支持部材に接続され、該支持部材を前記コードが引出される方向とは逆の方向に付勢するばねと、
前記収容部材内部における前記回転体及び前記支持部材の移動をガイドするとともに、前記回転体及び前記支持部材を前記ばねの付勢力に抗して所定の位置に停止させるためのガイド溝と、
前記所定の位置に停止させられた前記回転体の回転軸によって導通させられる一対の電極と
を具備することを特徴とする請求項１に記載の腕時計型携帯端末用ベルト。
【請求項４】
前記収納部材の長さが略９センチメートルであり、
前記ガイド溝の一端から前記所定の位置までの距離が略７センチメートルであり、
前記コードの長さが１４センチメートルであること
を特徴とする請求項３に記載の腕時計型携帯端末用ベルト。
【請求項５】
前記通話手段は、前記本体部から前記コードを介して供給される音声信号を出力するスピーカを有すること
を特徴とする請求項１から４のいずれか１に記載の腕時計型携帯端末用ベルト。
【請求項６】
前記通話手段は、利用者の耳の骨の一部から音声振動を検出するとともに、該音声振動に応じた音声信号を前記コードを介して前記本体部に出力する骨伝導マイクロフォンを有すること
を特徴とする請求項１から５のいずれか１に記載の腕時計型携帯端末用ベルト。
【請求項７】
請求項１から５のいずれか１の請求項に記載の腕時計型携帯端末用ベルトと、
前記腕時計型携帯端末用ベルトによって腕に装着される本体部とを有し、
該本体部が、前記通話手段との間で前記コードを介した音声信号の授受を行う音声制御手段と、
通信動作を行う通信手段と
を具備することを特徴とする腕時計型携帯端末。
【請求項８】
前記コードの引出または収納を検出する検出手段と、
前記検出手段によってコードの引出または収納が検出されたときには、該腕時計型携帯端末が予め設定された動作を行うように制御する制御手段と
を具備することを特徴とする請求項７記載の腕時計型携帯端末。
【発明の詳細な説明】
【０００１】
【発明の属する技術分野】
本発明は、腕時計型携帯端末用ベルトおよびこれを備えた腕時計型携帯端末に関する。
【０００２】
【従来の技術】
送話部および受話部を備えた電話機本体にベルトを取り付け、腕に装着できるようにした携帯電話機が知られている。この種の腕時計型携帯電話機として、電話機を腕に装着したままの通話をし易くするために、イヤホンを接続することができるものもある。
【０００３】
【発明が解決しようとする課題】
しかしながら、従来の腕時計型携帯電話機は、使用時は別途用意されたイヤホンのコードを電話機本体に接続し、未使用時はイヤホンのコードを電話機本体から外すようになっていた。そのため、イヤホンを携帯するのを忘れたり、紛失してしまうことが多いという問題があった。また、長いコードの取り扱いが煩雑であるという問題もある。
【０００４】
本発明は、以上示した事情に鑑みてなされたものであり、イヤホンおよびコードを取り扱う際の負担を軽減することができる腕時計型携帯端末用ベルトおよびこれを備えた腕時計型携帯端末を提供することを目的としている。
【０００５】
【課題を解決するための手段】
上述した課題を解決するために、本発明は、腕時計型携帯端末の本体部を腕に装着するための腕時計型携帯端末用ベルトであって、腕に巻回可能な中空の長尺状部材である収納部材と、前記収納部材に収納され、一端が該収納部材から引出し可能なコードと、前記コードの引出し可能な一端に設けられ、前記本体部との間で前記コードを介した音声信号の授受を行う通話手段と、前記収納部材内部に設けられ、前記コードが巻き掛けられる回転体とを具備することを特徴としている。
前記通話手段は、前記本体部から前記コードを介して供給される音声信号を出力するスピーカを有していてもよい。また、前記通話手段は、利用者の耳の骨の一部から音声振動を検出するとともに、該音声振動に応じた音声信号を前記コードを介して前記本体部に出力する骨伝導マイクロフォンを有していてもよい。
また、本発明は、上記の腕時計型携帯端末用ベルトと、前記腕時計型携帯端末用ベルトによって腕に装着される本体部とを有し、該本体部が、前記通話手段との間で前記コードを介した音声信号の授受を行う音声制御手段と、通信動作を行う通信手段とを具備する腕時計型携帯端末を提供する。さらに、前記コードの引出または収納を検出する検出手段と、前記検出手段によってコードの引出または収納が検出されたときには、該腕時計型携帯端末が予め設定された動作を行うように制御する制御手段とを具備するようにしてもよい。
【０００６】
【発明の実施の形態】
以下、図面を参照して、本発明の実施形態について説明する。かかる実施の形態は、本発明の一態様を示すものであり、この発明を限定するものではなく、本発明の範囲内で任意に変更可能である。
【０００７】
Ａ：実施形態の構成
図１は、本発明の一実施形態である腕時計型携帯電話機１の電気的構成を示すブロック図である。この腕時計型携帯電話機１は、図示しない移動電話網を介した移動電話サービスを受けるための端末装置であり、同図に示すように、制御部１０１、無線部１０２、操作部１０３、電源部１０４、検出部１０５およびマイク１０６と、コード１３を介して制御部１０１と接続されたスピーカ１２とにより構成されている。
【０００８】
制御部１０１は、接続された各部との間で各種情報の授受を行い、この腕時計型携帯電話機１の制御中枢として機能する。また、制御部１０１は、Ａ／ＤコンバータおよびＤ／Ａコンバータからなるコーデックを内蔵している。無線部１０２はアンテナ１０２ａを備え、このアンテナ１０２ａによって移動電話網との間で無線信号の送受信を行う。操作部１０３は、複数のキーを備えており、数字入力、文字入力等の情報入力操作が行われる。電源部１０４は、腕時計型携帯電話機１の各部に対して電力を供給する。
【０００９】
検出部１０５は、スピーカ１２に接続されたコード１３が引出されたことを検出する手段である（詳細は後述）。
【００１０】
マイク１０６は、ユーザが音声を入力するための手段である。このマイク１０６から入力された音声信号は、制御部１０１内のＡ／Ｄコンバータによってディジタル信号に変換され、無線部１０２に供給される。無線部１０２は、このディジタル信号により搬送波を変調して得られる無線信号を、アンテナ１０２ａを介して移動電話網へ送信する。
【００１１】
一方、無線部１０３は、移動電話網から送信される無線信号を受信し、受信した信号を復調したディジタル信号を制御部１０１に引き渡す。この信号は、制御部１０１内のＤ／Ａコンバータによってアナログ信号に変換された後、コード１３を介してスピーカ１２から出力される。
【００１２】
次に、図２は、腕時計型携帯電話機１の全体構成およびその一部の断面の構成を示す図である。なお、この図２において、前掲図１に示された要素と同一の部分には同一の符号が付されている。同図に示すように、この腕時計型携帯電話機１は、本体部１０と、本体部１０を腕に装着するためのベルト１１ａおよび１１ｂと、スピーカ１２とにより構成されている。そして、上述した制御部１０１、無線部１０２、操作部１０３および電源部１０は、本体部１０の内部に、検出部１０５はベルト１１ａの内部に、マイク１０６はベルト１１ａの一端に設けられた止め具部分に、アンテナ１０２ａは例えばベルト１１ｂに、それぞれ配設されている。また、詳細は後述するが、スピーカ１２はベルト１１ａ内に収納されたコード１３の一端に接続されており、ユーザは、スピーカ１２を把持して引っ張ることにより、このコード１３を引出すことができるようになっている。
【００１３】
ベルト１１ａは、図１に示すように、中空の長尺状部材であるコードケース１１１によって構成されている。このコードケース１１１の内部には、ばね１１２、プーリ１１３、プーリ軸１１４、支持部材１１５およびコード１３が収納されている。
【００１４】
コードケース１１１は、コード１３を収納する機能と、該腕時計型携帯電話機１を腕に装着する機能とを兼ね備えている。このコードケース１１１の本体部１０に近い端部には、コード１３の直径よりもやや大きい直径を有する貫通孔であるコード接続口１１１ａおよびコード引出口１１１ｂが設けられている。一端が本体部１０に接続されたコード１３は、コード接続口１１１ａを通ってコードケース１１１の内部に至り、プーリ１１３に巻き掛けられた後、コード引出口１１１ｂを通って外部に至っている。コード引出し口１１１ｂから引出されたコード１３端部にはスピーカ１２が設けられており、ユーザは、このスピーカ１２を把持して引出すことにより、コードケース１１１内に収納されたコード１３を引出すことができる。このスピーカ１２は、耳の穴に装着することができる。
【００１５】
ばね１１２は、一端がコードケース１１１の一端側（止め具が設けられた側）の内壁に固定されるとともに、他端が支持部材１１５に接続されている。この支持部材１１５は、プーリ１１３を上下から挟んで支持しているコの字型の部材である。プーリ１１３は、ばね１１２により図１中のＸ軸の正の方向に付勢される。
【００１６】
プーリ１１３は、その中心部分に固設されたプーリ軸１１４が支持部材１１５を貫通しており、このプーリ軸１１４を軸として、コードケース１１１が属する面と平行な面内において回転可能となっている。図３は、Ｘ軸に垂直な平面で切った場合のベルト１１ａの断面図である。同図に示すように、プーリ１１３は、その外周部にコード１３を受け容れるための溝が形成されており、この溝の部分にコード１３が巻き掛けられている。そして、プーリ１１３は、コード１３が引出される間は、該ばね１１２の力に抗してＸ軸方向の負の方向に移動する。
【００１７】
また、同図に示すように、コードケース１１１の対向する２つの内壁にはプーリガイド溝１１６が各々凹設されている。これらのプーリガイド溝１１６は、プーリ軸１１４の直径よりもやや大きい幅の溝であり、コードケース１１１の長手方向に延びている。そして、プーリ軸１１４は、このプーリガイド溝１１６に沿ってコードケース１１１の長手方向に移動するようになっている。
【００１８】
次に、図４を参照して、上記プーリガイド溝１１６のうち、本体部１０近くの部分の詳細な構成を説明する。このプーリガイド溝１１６は、プーリ１１３の移動をガイドするとともに、プーリ１１３をばね１１２の力に抗して所定の位置に停止させる機能を有している。図４に示すように、このプーリガイド溝１１６は、Ｘ軸方向と平行に設けられた溝である第１〜第４直進部Ａ１〜Ａ４と、Ｘ軸に対して所定の角度をもって設けられた溝である第１〜第４斜行部Ｂ１〜Ｂ４とにより構成されている。以下、このプーリガイド溝１１６の構成を詳述する。
【００１９】
図４に示すように、第１直進部Ａ１、第１斜行部Ｂ１および第２直進部Ａ２は、コード１３が引出される間のプーリ１１４の移動経路を構成している。ここで、第２直進部Ａ２は、位置Ｐ２において行き止まりになっており、この位置Ｐ２に至るまでの途中には、プーリ軸１１４が第１斜行部Ｂ１側に逆戻りするのを制限するための弁１１６ａが設けられている。この弁１１６ａは、第２直進部Ａ２の一方の側面（図４においては図中左側の側面）に軸支された板状の部材であり、同図に示す状態（静止状態）から、軸を中心として時計回りの方向には回動するが、静止状態から半時計回りの方向には回動しないようになっている。
【００２０】
一方、第２直進部Ａ２と第３直進部Ａ３との間には第２斜行部Ｂ２が設けられている。上記の弁１１６ａは、第２直進部Ａ２に進入したプーリ軸１１４を、この第２斜行部Ｂ２に案内するガイドとしての役割を担っている。第３直進部Ａ３は、位置Ｐ３から位置Ｐ４に至っている。また、第３直進部Ａ３の途中には、弁１１６ａと同様の構成の弁１１６ｂが設けられ、第３斜行部Ｂ３が連設されている。そして、第３斜行部Ｂ３、第４直進部Ａ４および第４斜行部Ｂ４は、プーリ軸１１４がコード１３の引出しが行われる前の元の位置に戻るための帰路を構成している。ここで、第４斜行部Ｂ４の一端は、上述した第１直進部Ａ１の途中部分に至っている。
【００２１】
また、一対のプーリガイド溝１１６の各々の位置Ｐ３には、１対の電極が設けられている（図中斜線部）。これらの電極は、上述した検出部１０５を構成するものであり、図示しない導線を介して制御部１０１に接続されている。そして、導電体であるプーリ軸１１４が該位置に至ると、このプーリ軸１１４によって各電極間が導通し、これにより制御部１０１は、コード１３が引出されたことを認識する。このように、検出部１０５およびプーリ軸１１４によって、特許請求の範囲における「検出手段」が構成される。
以上が本実施形態における構成である。
【００２２】
Ｂ：実施形態の動作
次に、実施形態の動作を説明する。
まず、ユーザがスピーカ１２を把持して引っ張ると、コード１３が引出され、該コード１３が巻き掛けられたプーリ１１３は、ばね１１２の力に抗してＸ軸の負の方向にプーリガイド溝１１６に沿って移動する（図４中矢印Ａ）。
【００２３】
ここで、プーリ軸１１４が図４中の弁１１６ａを通過する前に、ユーザによってスピーカ１２が離された場合、プーリ１１３はばね１１２の力によって位置Ｐ１に戻される。一方、プーリ１１３が弁１１６ａを通過した後もなおコード１３の引出動作が継続された場合には、プーリ軸１１４は位置Ｐ２に至り、それ以上コード１３を引出すことができなくなる。
【００２４】
ここでスピーカ１２を引っ張るのを止めると、プーリ軸１１４はＸ軸の正の方向への移動が弁１１６ａによって阻止されるため、図中の矢印Ｂで示す方向に移動し、位置Ｐ３に至って停止する。こうして、ユーザがスピーカ１２を離した場合であっても、コード１３が所定の長さだけ引出された状態が保たれる。ここで、引出されるコード１３の長さは、概ね位置Ｐ１とＰ３との間の長さの２倍の長さとなる。
【００２５】
ここで、プーリ軸１１４が位置Ｐ３に至ると、位置Ｐ３に設けられた１対の電極間が、導電体であるプーリ軸１１４によって導通する。本体部１０の制御部１０１は、この導通を検出することによってコード１３が引出されたことを認識する。
【００２６】
このコード１３が引出された状態となることにより、腕時計型携帯電話機１はオフフック状態となる。すなわち、例えば、該腕時計型携帯電話機１に対して他の電話機等からの呼出しが合った場合、制御部１０１は、コード１３が引出されたことを認識することにより、該呼出しに対する応答信号を無線部１０２を介して移動電話網に送信し、呼出し相手との呼接続を行う。このように、ユーザは、呼出しに応答するための操作をコード１３を引出すことによって実行することができる。
【００２７】
一方、コード１３が引出された後、操作部１０３によって何等かの電話番号が入力された場合、制御部１０１は、入力された電話番号を無線部１０２を介して移動電話網に送信し、他の電話機等に対して発呼する。着信先の電話機等が応答した場合、ユーザは通話を開始する。
【００２８】
通話が終了すると、ユーザは、スピーカ１２を引っ張る。この結果、プーリ軸１１４は位置Ｐ３から外れ、位置Ｐ３にある一対の電極がオフ状態となる。制御部１０１はこれを検知すると、オンフック状態になったとみなし、移動通信網との間で呼切断のための手続を行う。
【００２９】
一方、位置Ｐ３から外れたプーリ軸１１４はＸ軸の負の方向に移動し、弁１１６ｂを通過して位置Ｐ４に至り停止する。従って、それ以上コード１３は引出されない。
【００３０】
ここでスピーカ１２を引っ張るのを止めると、プーリ軸１１４はＸ軸の正の方向への移動が弁１１６ｂによって阻止されるため、矢印Ｃの方向に移動する。以後、プーリ軸１１４はＸ軸の正の方向に移動し、再び位置Ｐ１に戻る（矢印Ｄ）。この結果、コード１３がコードケース１１１に収納される。
以上が本実施形態における動作である。
【００３１】
このように、本実施形態によれば、スピーカ１３のコード１２を、ベルトの機能を備えたコードケース内に収納できるため、別個のスピーカを持ち歩く煩雑さを軽減することができ、かつ、腕時計型携帯電話機の携帯性を損なうこともない。また、コード１３を引出すと自動的に何等かの動作が実行されるので、ユーザの操作負担を軽減することができる。
【００３２】
ここで、ベルト１１ａの長さを、腕への装着に適した９ｃｍ程度とし、このベルト１１ａ長さに合わせて上述した位置Ｐ１と位置Ｐ３との間隔を７ｃｍ程度にすると、引出されるコードの長さは概ね１４ｃｍ程度となる。従って、腕時計型携帯電話機１を腕に装着してコード１３を引出すと、マイク１０６とスピーカ１２との間隔が１４ｃｍ程度となる。この長さは、ちょうど一般的な耳と口との間隔に相当する長さである。このように、本実施形態によれば、図５に示すような態様、すなわち、マイク１０６を口の近傍に寄せ、スピーカ１２を耳の穴に装着して使用する場合に、引出したコード１３がちょうど良い長さになるという利点もある
【００３３】
Ｃ：変形例
以上この発明の一実施形態について説明したが、上記実施形態はあくまでも例示であり、上記実施形態に対しては、本発明の趣旨から逸脱しない範囲で様々な変形を加えることができる。変形例としては、例えば以下のようなものが考えられる。
【００３４】
＜変形例１＞
上記実施形態におけるコード収納のための構造は、ベルトのような長尺状の薄い部材にコードを収納する場合に特に好適であるが、別の構造によってコードを収納してもよい。例えば、コードケース内にリールを回転可能に軸支し、該リールにコードを巻き付ける構成としてもよい。また、上記実施形態においては、前掲図４に例示したプーリガイド溝１１６を用いてコード１３を引出した状態に保つようにしたが、引出したコードを所定の長さで保つ方法はこれに限られない。
【００３５】
また、上記実施形態においては、コード１３を巻き掛けるプーリ１１３を１つだけ設ける構成としたが、複数のプーリを設け、各プーリにコードを巻き掛ける構成としてもよい。例えば、ベルト内部の本体部に近い位置に、軸の両端がベルトの対向する内壁に固定され、ベルトの属する平面と平行な面内において回転可能な１つのプーリを設けるとともに、上記実施形態におけるプーリ軸１１４により、厚さ方向に重ねられた２枚のプーリを回転可能に軸支する。そして、これら３個のプーリに交互にコードを巻き掛ける。このようにすることにより、ベルトに収納可能なコードの長さをより長くすることができる。
【００３６】
＜変形例２＞
上記実施形態においては、コード１３を引出すことによってオフフック状態になるようにしたが、コードの引出し動作と連動して実行される動作はこれに限られるものではない。例えば、コードが引出された場合に電源が投入されるようにしてもよい。
【００３７】
また、上記実施形態においては、本発明を腕時計型携帯電話機に適用した場合を例に説明を進めたが、ＰＤＡ（Personal Digital Assistants）等の非音声データを取り扱う端末装置に適用することもできる。この場合には、例えばコードが引出された場合にＰＤＡの電源が投入されるようにしてもよい。
【００３８】
＜変形例３＞
上記実施形態においては、コード１３の一端にスピーカ１２が設けられた構成としたが、コード１３の一端に設けられるものはスピーカに限られない。例えば、骨伝導マイクロフォンとスピーカとを備える骨伝導型イヤホンマイク１２’をコード１３の引出し可能な一端に設けるようにしてもよい。ここで、骨伝導マイクロフォンとは、利用者が発声したときに骨を伝搬する音声振動を耳付近の骨の一部から検出するとともに、該音声振動に応じた音声信号を出力するものである。なお、本変形例においては、ベルト１１ａの止め具部分にマイク１０６を設けない構成となっている。
【００３９】
このようにした場合、図６に示すように、上記骨電動型イヤホンマイク１２’を引出して耳に装着して通話を行うとともに、腕時計型携帯電話機１の本体部１０に設けられた表示部（図示せず）に表示される文字や画像等を見ることができ、腕時計型携帯端末の使用の態様をより多様なものにすることができる。
【００４０】
＜変形例４＞
上記実施形態においては、プーリガイド溝１１６の位置Ｐ３に、検出部１０５として１対の電極を配設し、これらの電極がプーリ軸１１４によって導通されることによってコード１３が引出されたことを検出するようにしたが、これを検出する方法は、例えば以下のようにしてもよい。
（１）プーリガイド溝１１６の位置Ｐ３に、押しボタンスイッチを設け、プーリ軸１１４が位置Ｐ３に至るとこの押しボタンスイッチが押下される構成とする。制御部１０１は、この押しボタンスイッチの押下により、コード１３が引出されたことを認識する。
（２）コードケース１１１の一方の内壁の位置Ｐ３付近に、発光ダイオードと光電素子とを設け、さらに、プーリ１１３の片面（発光ダイオード等が設けられた内面に近い方の面）に発光ダイオードの光を光電素子に向けて反射するミラーを設ける。この構成によれば、プーリ１１３が位置Ｐ３付近に至ると、発光ダイオードの光がプーリ１１３の面によって反射され、光電素子に至る。制御部１０１は、光電素子によって光が検知された場合に、コード１３が引出されたことを認識する。
（３）コードケース１１１の対向する内壁の一方に発光ダイオードを、他方に光電素子を設け、発光ダイオードの光が光電素子に至る構成とする。この構成によれば、プーリ１１３が位置Ｐ３付近に至ると、発光ダイオードの光はプーリによって遮断され、光電素子に達しなくなる。制御部１０１は、光電素子が光を検知しなくなった場合に、コード１３が引出されたことを認識する。
（４）プーリガイド溝１１６の位置Ｐ３付近にホール素子を、プーリ１１３に磁石をそれぞれ配設する。プーリ１３が位置Ｐ３付近に至ると、ホール素子がプーリ１１３に配設された磁石の磁力を検出する。制御部１０１は、この時生ずるホール素子の出力信号の変化により、コード１３が引出されたことを認識する。
【００４１】
＜変形例５＞
上記実施形態においては、プーリガイド溝１１６に沿って移動するプーリ軸１１４の動作を制限するために弁１１６ａおよび１１６ｂを設ける構成としたが、プーリ軸１１４の動作を制限するための構成はこれに限られるものではなく、以下のような構成としてもよい。
【００４２】
図７（ａ）は、本変形例におけるプーリ１１３’およびプーリ軸の構成を示す図である。同図に示すように、本変形例においては、プーリ軸１１４ｂがプーリ１１３’の一方の面（図中下側の面）に固設されるとともに、プーリ軸１１４ａは、プーリ１１３’の他の面に、ばね１２０を介して接続されるようになっている。そして、このばね１２０の力によって、プーリ軸１１４ｂは図７（ａ）中の矢印Ａの向きに付勢されている。すなわち、コードケース１１１の対向する内面に設けられたプーリガイド溝１１６’の底面部にプーリ軸が押し付けられるようになっている。
【００４３】
一方、図７（ｂ）は、本変形例におけるプーリガイド溝１１６’の第２直進部Ａ２付近の構成を示す図であり、図７（ｃ）は、プーリガイド溝１１６’の第２直進部Ａ２付近を拡大した斜視図である。これらの図に示すように、本変形例においては、第２直進部Ａ２の途中に段差１３０が設けられた構成となっている。すなわち、図７（ｂ）および（ｃ）中に▲２▼で示した部分の溝の深さは、▲１▼で示した部分の溝の深さよりも深くなっている。そして、この段差１３０がプーリ軸１１４が第１斜行部Ｂ１側に逆戻りしないように案内するガイドの役割を担っている。
【００４４】
このような構成において、プーリ軸は図７（ｂ）中の矢印Ｂの方向には移動可能である。これに対し、プーリ軸が矢印Ｂの逆方向に移動しようとする場合、プーリ軸１１４ａはばね１２０の力により溝に対して付勢されているため、プーリ軸は段差１３０を乗り越えることができない。この結果、プーリ軸は、第１斜行部Ｂ１の方向に逆戻りすることなく、矢印Ｃの移動に移動する。すなわち、上記実施形態における弁１１６ａと同様の機能を実現することができる。さらに、このようにした場合には、上記実施形態における構成よりもプーリガイド溝を簡易な構成にできるという利点がある。
【００４５】
＜変形例６＞
コードケースに収納されるコードの構成は、以下のようにしてもよい。図８（ａ）は、本変形例におけるベルト２０の断面図である。
【００４６】
図８（ａ）に示すように、このベルト２０は、中空の長尺状部材であるコードケース２１を有しており、このコードケース２１には、うずまきばね２２およびカールコード２３が収納されている。コードケース２１内部には、該コードケース２１の内部を仕切る形状のゲート２４と、うずまきばね２２およびカールコード２３が引出される引出口２５とが設けられている。うずまきばね２２は、うずまき部がコードケース２１の一端側の内壁に支持されているとともに、引出された一端がゲート２４の欠切部を通って引出口２５に至り、端部にはスピーカ１２が設けられている。また、カールコード２３は、一端が上記ゲート２４の近傍に固定されるとともに、引出口２５に向かって延びるうずまきばね２２に巻装され、他端が上記うずまきばね２２と同様にスピーカ１２に固定される。制御部１０１からの信号は、このカールコード２３を介してスピーカ１２に供給される。ここで、ゲート２４が設けられているため、カールコード２３がコードケース２１のうずまきばね２２側に進入することはない。
【００４７】
このような構成において、ユーザによってスピーカ１２が把持され、引っ張られると、うずまきばね２２およびカールコード２３が引出口２５から引出される。図８（ｂ）は、カールコードが引出された場合を例示する図である。一方、ユーザがスピーカ１２を離すと、うずまきばね２２の力によってカールコート２３はコードケース２１に収納される。本変形例によれば、うずまきばね２２がカールコード２３の螺旋中心を通っているので、引出しおよび収納動作の際にカールコード２３が絡まることがない。なお、本変形例においても、上記実施形態と同様に、コードを引出した状態に保っておく手段を設けてもよい。
【００４８】
【発明の効果】
以上説明したように、本発明によれば、コードをベルト内に収納できるので、別途スピーカおよびコードを携帯する煩雑さを軽減することができ、かつ、腕時計型携帯電話機の携帯性を損なうこともない。また、コードの引出し動作と、腕時計型携帯電話機の操作とが連動しているので、ユーザの操作負担を軽減することができる。
【図面の簡単な説明】
【図１】  本発明の一実施形態である腕時計型携帯電話機の電気的構成を示すブロック図である。
【図２】  同実施形態における全体構成およびその一部の断面の構成を示す図である。
【図３】  図２におけるＸ軸に垂直な平面におけるベルト１１ａの断面図である。
【図４】  同実施形態におけるプーリガイド溝１１６の構成を示す平面図である。
【図５】  同実施形態における腕時計型携帯電話機の使用時の態様を例示する図である。
【図６】  本発明の変形例における腕時計型携帯電話機の使用時の態様を例示する図である。
【図７】  本発明の変形例におけるプーリおよびプーリ軸、ならびにプーリガイド溝の構成を示す図である。
【図８】  本発明の変形例におけるベルトの構成を示す断面図である。
【符号の説明】
１……腕時計型携帯電話機（腕時計型携帯端末）、１０……本体部、１１ａ，１１ｂ，２０……ベルト（腕時計型携帯端末用ベルト）、１２……スピーカ（通話手段）、１２’……骨伝導型イヤホンマイク（通話手段）、１３……コード、２１……コードケース、２２……うずまきばね、２３……カールコード、２４……ゲート、２５……引出し口、１０１……制御部（音声制御手段、通信手段、制御手段）、１０２……無線部（通信手段）、１０２ａ……アンテナ（通信手段）、１０３……操作部、１０４……電源部、１０５……検出部（検出手段）、１０６……マイク、１１１……コードケース、１１１ａ……コード接続口、１１１ｂ……コード引出し口、１１２，１２０……ばね、１１３，１１３’……プーリ（回転体）、１１４，１１４ａ，１１４ｂ……プーリ軸、１１５……支持部材、１１６……プーリガイド溝、１１６ａ，１１６ｂ……弁、１３０……段差。
【図１】
0003715827.tif 000002
【図２】
0003715827.tif 000003
【図３】
0003715827.tif 000004
【図４】
0003715827.tif 000005
【図５】
0003715827.tif 000006
【図６】
0003715827.tif 000007
【図７】
0003715827.tif 000008
【図８】
0003715827.tif 000009